(57)【要約】【課題】生花や盛花で雰囲気をよくしたり、持上げたりできる上、観づらい所にいる人を楽な姿勢で、間近に観ることができるようにした宴会用デコレーションポットを提供することを目的とする。【解決手段】宴席のテーブルに置かれる生花又は盛花を入れるフラワーポットホール１０と、これの周囲四方に配置された４面の電子表示画面６とを備えることを特徴とする。フラワーポット１０に入れられる生花又は盛花により周囲の雰囲気を和ませたり、高めたりできる上、宴会場内の見づらい所にいる人の様子を電子表示画面６に表示して、身体や首を捩ることなく、自然で楽な姿勢で宴会場内の見づらい所をみることができるようになる。【選択図】  図１
2004154159.tif 000002
【特許請求の範囲】
【請求項１】
宴席のテーブルに置かれる生花又は盛花を入れるフラワーポットホールと、これの周囲に配置された少なくとも１面の電子表示画面とを備えることを特徴とする宴会用デコレーションポット。
【請求項２】
前記フラワーポットホールの周囲に、画面の方向が異なる複数面の電子表示画面が設けられることを特徴とする請求項１に記載の宴会用デコレーションポット。
【請求項３】
前記フラワーポットホールの周囲に電子カメラが設けられることを特徴とする請求項１又は２に記載の宴会用デコレーションポット。
【請求項４】
前記フラワーポットホールの周囲にマイクロホン及び／又はスピーカが設けられることを特徴とする請求項１ないし３のいずれか１項に記載の宴会用デコレーションポット。
【請求項５】
前記少なくとも１面の電子表示画面を回転可能に支持する基台を備えることを特徴とする請求項１ないし５のいずれか１項に記載の宴会用デコレーションポット。
【発明の詳細な説明】
【０００１】
【発明の属する技術分野】
本発明は、宴席のテーブルに置かれる宴会用デコレーションポットに関する。
【０００２】
【従来の技術】
従来、結婚披露宴などの宴会においては、新郎、新婦の人柄やこれまでの半生を紹介したり、宴席の雰囲気を寛がせたりするために、会場の壁面やスクリーンにスライドなどの静止画や、ビデオなどの動画を映し出したりすることがある。
【０００３】
ところで、画面の向きが異なる複数面の電子表示画面を備えるテレビ及びパソコンが提案されている（例えば、特許文献１参照）。
【０００４】
【特許文献１】
特開平９−２００６４８号公報
【０００５】
【発明が解決しようとする課題】
しかし、宴会場で画像を映す壁やスクリーンは一面だけ設けられるのが普通であり、宴席の位置や向きによっては身体を捩ったり、首を捩ったりしなければ画面を観ることができないことがある。又、宴席が画面から遠い場合には席を離れなければ映されている画像を見分けられないこともある。
【０００６】
更に、宴会場のひな壇から遠い位置などではひな壇にいる人やその近くでスピーチをしている人の顔や身振りを観たくても見られないことがある。
【０００７】
特開平９−２００６４８号公報に記載されたテレビ及びパソコンは、複数人が互いに触れずに異なる映像を観察できるようにしたものであり、宴会場の雰囲気をよくすることには役立たない。
【０００８】
本発明は、これらの事情を考慮してなされたものであり、宴会場の雰囲気をよくできる上、観づらい所にいる人の顔や身振りを楽な姿勢で、間近に観ることができるようにした宴会用デコレーションポットを提供することを目的とするものである。
【０００９】
【課題を解決するための手段】
この目的を達成するため、本発明に係る宴会用デコレーションポットは、宴席のテーブルに置かれる生花又は盛花を入れるフラワーポットホールと、これの周囲に配置された少なくとも１面の電子表示画面とを備えるという技術的手段を採用する。
【００１０】
この宴会用デコレーションポットは、例えば円卓からなる宴席テーブルの中央部など、宴会用テーブルを囲む人がテーブルに向かったときに自然に目に入るような位置に置かれる。
【００１１】
これにより、参会者の目は自然にフラワーポットホールに入れて飾られた生花や盛花に注がれて、参会者の間に例えば華やいだ明るい雰囲気が周囲にかもし出され、宴会場の雰囲気をよくする。
【００１２】
又、テーブルに向いている人は、身体や首を捩ったりすることなく、自然な姿勢で楽に電子表示画面を観ることができるので、この電子表示画面に壁やスクリーンに映し出す画像、ひな壇の上の人やその近くでスピーチをする人の顔や身振りなどを表示することにより、画像を映写する壁、スクリーン、ひな壇やその近くなどが観づらい席にいても、壁やスクリーンに映写される画像、ひな壇の上やその近くでスピーチをする人の顔や身振りなどを身近に観ることができる。
【００１３】
ところで、本発明のフラワーポットホールは、生花や盛花を入れることができるようにして形成してあればよく、例えば、その底面及び／又は周面を着脱可能に設けて手入れをし易いようにすることができる。
【００１４】
前記電子表示画面とは、電子技術を用いて文字、画像などを表示する画面のことであり、ＣＲＴなど画面の面積に対して奥行きの深いものを用いることも可能であるが、小型化を図るために、例えば液晶表示画面、プラズマ表示画面、電子蛍光画面などの薄膜ないし薄板状のものが好ましい。
【００１５】
又、この電子表示画面は、少なくとも１面設けられていればよいが、テーブルの周りに居る参会者のすべてが自然に楽な姿勢で電子表示画面を観ることができるようにするため、前記フラワーポットホールの周囲に、画面の方向が異なる複数面の電子表示画面が設けられることが好ましい。
【００１６】
この電子表示画面を駆動する画像処理回路、この画像処理回路に画像信号を供給する画像信号形成回路、電源などは、それぞれ当該宴会用デコレーションポット内に設けてもよく、宴会場内の１箇所に集中して設置してもよく、又は会場内の複数箇所に分散して設置してもよく、又、当該宴会場外に設けてもよい。
【００１７】
もちろん、この画面に表示される画像は、特に限定されることはなく、例えばホームビデオで撮影された映像、写真画像、アニメーション、文字など電子表示画面で表示できる画像であればよい。
【００１８】
本発明においては、前記フラワーポットホールの周囲に１台ないし電子表示画面と同数の電子カメラを設け、この電子カメラを用いてテーブルに向かっている参会者の電子画像データを得ることができる。
【００１９】
この電子カメラの設置位置、撮影範囲などは、デコレーションポットの外観の美観も考慮に入れて適宜設定すればよい。
【００２０】
この電子画像データはそのまま記録して保存できる他、例えばリアルタイムで会場内のプロジェクタで会場の壁やスクリーンに映写したり、他のデコレーションポットの電子表示画面に表示したりすることができる。又、この電子カメラで得た電子画像データを一時的に保存し、適当な時間が経過した時や、予定された番組の合間などに適宜プロジェクタや他のデコレーションポットの電子表示画面に表示したりすることができる。
【００２１】
又、互いに離れたテーブルの間で電子カメラと電子表示画面とを使って映像の遣り取りをしたり、この映像遣り取りの様子を他のテーブルの電子表示画面に表現させたり、再現させたりすることができる。
【００２２】
又、本発明においては、前記フラワーポットホールの周囲に１台ないし電子表示画面の２倍のマイクロホン及び／又はスピーカを設け、このマイクロホンを用いてスピーチを録音したり、スピーカを用いてバックグラウンドミュージックや、スピーチの音声などを放送したりすることができる。
【００２３】
これらマイクロホンやスピーカの設置位置、大きさ、形状などはデコレーションポットの外観の美観などを考慮に入れて適宜設計される。
【００２４】
本発明において、複数面の電子表示画面はテーブル上で所定の向きに向けたまま固定してもよいが、テーブルの色々な方向から楽に見られるようにするために、これら複数面の電子表示画面を回転可能に支持する基台を設けることが好ましい。なお、この基台の中には、バッテリ、画像信号処理回路などを内蔵できるほか、複数面の電子表示画面を一方向又は双方向に回転させるモータを内蔵することができる。
【００２５】
宴会が設営されていない場合には、前記フラワーポットホールに蓋を被せ、この蓋の上に設けたカード立てにテーブルの愛称を記したカードや、メニューなどを差込んで置くこともできる。
【００２６】
【発明の実施の形態】
本発明の一実施例に係る宴会用デコレーションポット（以下、デコレーションポットという。）を図面に基づいて具体的に説明すれば、以下の通りである。図面において、図１は本発明の一実施例に係るデコレーションポットの斜視図であり、この図１に示すように、このデコレーションポット１は、基台２と、直方形の輪郭を備える本体ケース３と、本体ケース３の上面に形成したほぼ正方形の開口４に上方から挿入されるフラワーポット５と、本体ケース３の四方の横側面に設けた４面の液晶表示パネルからなる電子表示画面６とを備えている。
【００２７】
前記フラワーポット５はほぼ四方形の底面７と、この底面７の四方の側縁から立ち上げた四方の側面８と、これら四方の側面８の上縁から全周にわたって外側に連出したフランジ９とを備え、前記底面７及び四方の側面８により囲まれる空間からなるフラワーポットホール１０に生花や盛花が入れられる。
【００２８】
前記本体ケース３の各電子表示画面６の上側には例えば小型ビデオカメラ１１と、左右のマイクロホン１２とが配置され、又、その下側には左右のスピーカ１３が配置されている。
【００２９】
又、前記本体ケース３は基台２に水平回転可能に支持されている。この本体ケース３の回転角は、特に限定されないが、９０°にしている。
【００３０】
更に、この基台２の内部には外部と画像信号及び音声信号を送受信する送受信部と、外部から受信した音声信号を処理してスピーカ１３から放送させると共に、マイクロホン１２で拾った音や音声を音声信号に変換し、送受信回路から外部に送信させる音声信号処理部と、外部から受信した画像信号を処理して電子表示画面に表示させると共に、電子カメラ１２で撮影した画像を画像信号に変換して送受信回路から外部に送信させる画像信号処理部とを内蔵してある。送受信回路と外部との送受信は有線通信であっても、無線通信であってもよい。
【００３１】
又、この基台２の内部には例えばリチウム乾電池などの充電可能な電池からなる電源が交換可能に設けられ、この電源により前記送受信回路、音声信号処理部、画像信号処理部及び電子表示画面６を駆動するようにしているが、これに代えて、又は、これと共に外部バッテリ、商用電源などの外部電源を用いることは何ら支障がない。
【００３２】
なお、前記電子表示画面６の画面の明暗、コントラスト、色調、表示位置などを調整する画面調整ユニットは、本体ケース３内の下部に配置され、スピーカ１３の間に設けたカバー２２を開いて操作できるようにしている。
【００３３】
もちろん、本発明においては、フラワーポットホール１０の周囲に少なくとも１つの電子表示画面６が設けてあればよいので、これら送受信部、音声信号処理部、画像信号処理部、画面調整ユニットなどの電子部品の一部又をデコレーションポット１の外部に設置してもよい。
【００３４】
又、この実施例では、４面の電子表示画面６が設けてあるが、電子表示画面６の数はこれよりも多くても、少なくてもよく、例えばデコレーションポット１が３面又は４面の側面を備え、その３面又は４面のうちの１面にだけ電子表示画面６を設けるものも本発明に含まれるのである。
【００３５】
図２は複数台のデコレーションポットと複数台のモニタとを備える宴会場システムの構成図である。
【００３６】
この宴会場システムは結婚披露宴会用に設計されたものであり、この図２に示すように、この宴会場システムは、例えば新郎用モニタ、新婦用モニタ、仲人用の２台のモニタ、司会者用モニタ、ミキサ用モニタの６台のモニタ１４を備える。
【００３７】
各モニタ１４は電子表示画面と、小型ビデオカメラと、マイクロホンと、スピーカとを備え、共通のミキサ１５に接続される。
【００３８】
又、宴会場の賓客用テーブルの数に合わせて、例えば２０台のデコレーションポット１が設けられ、これらのデコレーションポット１も前記共通のミキサ１５に接続される。
【００３９】
更に、このミキサ１５には、必要に応じて、会場マイクロホン１６、会場ビデオカメラ１７の他に、オディオプレーヤ、電子写真データ、音声データなどを読取るデータリーダ、写真や文書を読取るスキャナ、ビデオデッキ、ＤＶＤデッキなどの再生用電子機器１８や、プロジェクタ１９、記録用電子機器２０などが接続される。
【００４０】
このミキサ１５の操作は司会者と異なるオペレータが行うが、この実施例では必要に応じて、司会者、参会者などがリモートコントローラ２１を用いて遠隔操作できるようにしてある。
【００４１】
前記デコレーションポット１は宴会場の各宴会テーブルの中央部に置かれ、そのフラワーポットホール１０にはそれぞれ主催者の心づくしの生花が活けられている。この生花により、心を和まされ、雰囲気を盛り上げら得た賓客は、ミキサ１５の操作により各電子表示画面６に送られてくる画像や、スピーカ１３に送られてくる楽曲、歌声などにより、宴会を楽しむ。
【００４２】
例えば司会者の司会、仲人や賓客のスピーチの音声は、モニタ１４やデコレーションポット１のマイクロホン１２、会場マイクロホン１６などにより録取され、リアルタイムで各モニタ１４及びデコレーションポット１のスピーカ１３から放送される。又、そのスピーチの様子はモニタ１４やデコレーションポット１の小型ビデオカメラ１１や会場ビデオカメラ１７などで録画され、リアルタイムで各モニタ１４及びデコレーションポット１の電子表示画面６に再生表示される。
【００４３】
又、賓客がスピーチの中で新郎や新婦に呼びかけたり、質問したりして、新郎や新婦がそれに応える様子は、それらのモニタ１４やデコレーションポット１のマイクロホン１２と小型ビデオカメラ１１で記録され、各モニタ１４及びデコレーションポット１のスピーカ１３と電子表示画面６に再生させる。この場合、例えば画面を分割して賓客と新郎新婦との遣り取りの様子を同時に表示することもできる。
【００４４】
司会者などにより、新郎と新婦のなれ初め、それまでの交際、生誕後の経歴などが披露される時には、ミキサ１５から司会者などのトークに合わせて写真やビデオ記録などが各モニタ１４及びデコレーションポット１の電子表示画面６に送られる。
【００４５】
又、衣装直しなど、新郎や新婦が会場から退出し、宴会の次第が中断される間には、ミキサ１５からモニタ１４やデコレーションポット１の小型ビデオカメラ１１や会場ビデオカメラ１７で会場内の様子を撮影して記録したり、リアルタイムでモニタ１４やデコレーションポット１の電子表示画面６に映し出したり、予め用意された画像や映像をモニタ１４やデコレーションポット１の電子表示画面６に映し出したりすることができる。
【００４６】
このように、賓客は自分が向かっているテーブルのデコレーションポット１の電子表示画面、スピーカ１３によって会場内の様子を見たり、聞いたりすることができるようになるので、ひな壇や挨拶をしている賓客に向かって身体や首を捩じ曲げたり、席を離れたりすることなく、楽な姿勢で身近に会場の様子を見聞きすることができる。
【００４７】
もちろん、各モニタ１４やデコレーションポット１の電子表示画面６に映し出す画像を同時にプロジェクタ１９で壁やスクリーンに映写することができ、又、宴会の様子の一部始終をモニタ１５に接続した記録用電子機器１９によってビデオテープやＤＶＤなどの適当な記録媒体に記録することができる。
【００４８】
なお、この宴会場システムにおいては、デコレーションポット１、モニタ１４、ミキサ１５、会場マイクロホン１６、会場ビデオカメラ１７、再生用電子機器１８、プロジェクタ１９、記録用電子機器２０、リモートコントローラ２１などをバスラインで有線接続しているが、これら相互を無線接続してもよい。
【００４９】
又、電子表示画面６に表示する画像の映像技術は全く自由に選択することができ、従来の映像技術の他、宴会の雰囲気を盛り上げるために、今後新規に開発される映像技術が用いられることが多いに期待される。
【００５０】
【発明の効果】
以上に説明したように、本発明の宴会用デコレーションポットは、宴席のテーブルに置かれる生花又は盛花を入れるフラワーポットホールを備えるので、フラワーポットホールに生花や盛花を入れて宴会場の雰囲気を和ませたり、盛り上げたりすることができるという効果を得ることができる。
【００５１】
又、本発明の宴会用デコレーションポットは、前記フラワーポットホールの周囲に配置された少なくとも１面の電子表示画面とを備えるので、テーブルに向かってる参会者がひな壇の上や離れた所にいる人をその人に向かって身体や首を捩ったり、席を離れたりすることなく、自然な姿勢で楽に、しかも間近に観ることができるという効果を得ることができる。
【００５２】
更に、この電子表示画面に映し出される画像を観ることにより、参会者の参加意識が高められ、会場全体の雰囲気が盛り上げられる。
【００５３】
特に、本発明において、前記フラワーポットホールの周囲に、画面の方向が異なる複数面の電子表示画面が設けられると、テーブルの周囲の異なる方向から電子表示画面を正視することができるので、テーブルの周囲に居る多数の参会者が自然な姿勢で楽に、しかも間近にひな壇の上や離れた所にいる人を観ることができるという効果を得ることができる。
【００５４】
又、本発明において、前記フラワーポットホールの周囲に電子カメラが設けられると、この電子カメラによって本発明の周囲にいる人の様子を撮影することができるという効果を得ることができ、更に、この撮影により得た画像を記録したり、他のデコレーションポットの電子表示画面に再生したりすることができるという効果を得ることができる。
【００５５】
更に、本発明において、前記フラワーポットホールの周囲にマイクロホン及び／又はスピーカが設けられると、このマイクロホンを使ってテーブルの周囲にいる人の音声を採取したり、スピーカを使って楽曲、音声などをテーブルの近くに放送したりすることができるという効果を得ることができる。
【００５６】
加えて、本発明において、前記少なくとも１面の電子表示画面を回転可能に支持する基台を備えると、電子表示画面の向きを変えて、一層自然で楽な姿勢で電子表示画面を観ることができるという効果を得ることができる。
【図面の簡単な説明】
【図１】本発明の一実施例に係る宴会用デコレーションポットの斜視図である。
【図２】本発明を用いる宴会場システムの構成図である。
【符号の説明】
１  デコレーションポット
２  基台
６  電子表示画面
１０  フラワーポットホール
１１  電子カメラ
１２  マイクロホン
１３  スピーカ
【図１】
2004154159.tif 000003
【図２】
2004154159.tif 000004